(57)【要約】【課題】モジュールシステムによって収納棚の種々の組み合わせが可能であり、しかも皿の主面を前面側と平行に配置することによって奥行きを小さくすることができ、その結果居住空間の有効利用を図ることができる収納棚を提供する。【解決手段】つまみ９１ａが設けられた前面扉９１と、側板９２，９２と、側板９２，９２間に前面扉９１と平行に奥行き方向に所定の間隔で配設された仕切り板９３と、中央に長手状のスリット９４ａを有するガイド９４とからなり、皿１０の主面を前面扉９１と平行に配置することによって皿収納モジュール９の奥行きを小さくすることができる。【選択図】図１
0003134564.tif 000002
【実用新案登録請求の範囲】
【請求項１】
モジュールは、皿収納用の皿収納モジュールでなり、前記皿収納モジュールは、前面扉が支点を中心として回動可能であり、該前面扉の開放された上方から皿の主面を該前面扉と平行に挿入載置可能な構成としたこと
を特徴とする収納棚。
【請求項２】
前記皿収納モジュールの奥行きは、前記皿収納モジュールの幅よりも小さく設定したことを特徴とする請求項１に記載の収納棚。
【請求項３】
前記皿収納モジュールは、皿の主面を前記前面扉と平行に挿入載置可能な仕切り板を有することを特徴とする請求項１又は請求項２に記載の収納棚。
【請求項４】
前記皿収納モジュールは、上方が開放され全体が箱状の皿収納ケースと、長手状の起立片が形成された仕切部材とを有することを特徴とする請求項１又は請求項２に記載の収納棚。
【請求項５】
前記モジュールの少なくとも一部は、パーティクルボードで形成されていることを特徴とする請求項１乃至請求項４のうち、いずれか１に記載の収納棚。
【請求項６】
前記収納棚は、２以上のモジュールでなり、前記モジュールとモジュールとの間を連結する連結手段を有することを特徴とする請求項１乃至請求項５のうち、いずれか１に記載の収納棚。
【請求項７】
前記２以上のモジュールは、組み合わせ可能であり、該２以上のモジュールの奥行きと幅は、同一であることを特徴とする請求項６に記載の収納棚。
【考案の詳細な説明】
【技術分野】
【０００１】
本考案は、収納棚に関し、特に、モジュールシステムによって収納棚の種々の組み合わせが可能であり、しかも皿の主面を前面側と平行に配置することによって奥行きを小さくすることができる収納棚に関する。
【背景技術】
【０００２】
従来の収納棚としては、例えば特開２００２−４５２４４号公報（特許文献１）に示すものがあった。図６は、食器棚としての使用形態を示す図、図７は、グラス棚としての使用形態を示す図である。図６に示すように、本体１０１の側板１０２，１０３間に、皿１０７を立てかけ可能な皿立て１０４を付設した皿立て付き棚板１０５を設置し、この棚板１０５に皿を立てるようにしたものである。この棚板１０５は、側板１０２，１０３間に挿入され、側板１０２，１０３の内側に突出した受けピン１０６，１０６上に載置でき、また、本体１０１から取り外すことができるようになっている。また、図７に示すように、本体１０１の側板１０２，１０３間にグラス１１０を保持可能なグラスホルダー１０８を付設したグラスホルダー付き棚板１０９が設置されている。このグラスホルダー付き棚板１０９は、受けピン１０６，１０６上に載置可能であり、図６に示す皿立て付き棚板１０５を本体１０１より取り外して、グラスホルダー付き棚板１０９を受けピン１０６，１０６上に載置して取り替え可能となっている。
【０００３】
【特許文献１】特開２００２−４５２４４号公報
【考案の開示】
【考案が解決しようとする課題】
【０００４】
しかしながら、従来の収納棚は、本体１０１の天板、底板、側板１０２，１０３のそれぞれの奥行き、幅、高さが決められた大きさとなっており、また、収納量もたくさん収納できるように大型化され、しかも一体化されたものとなっている。したがって、家庭内に設置する場合には、天板、底板、側板１０２，１０３に見合うスペースを予め確保してから商品の購入を決めなければならない。
【０００５】
また、収納棚本体１０１の内部に収納する皿やワイングラスなど種々の物を収納可能なように皿立て付き棚板１０５、グラスホルダー付き棚板１０９を交換可能な構成であり、比較的豪華な収納棚ではあるが、近年のような住宅事情により比較的狭い部屋、特に若い世代の人たちが居住する部屋は、前述したような本体１０１の天板、底板、側板１０２，１０３に見合うスペースを予め確保することが困難な情況にある。したがって、奥行きが小さな収納棚が求められるようになっている。すなわち、奥行きが小さくなれば台所などに設置された収納棚の前面側のスペースを広く活用することができ、居住空間を有効利用することができるからである。また、従来の収納棚は、本体１０１が一体化されたものとなっているので、高さも本体１０１に合わせた高さが必要となり、必要以上の大きさの収納棚を購入しなければならない場合があり、居住者のニーズに合わせた大きさのものを購入することができない場合があった。また、従来の収納棚は、皿１０７を立てかけ可能な皿立て１０４を付設した皿立て付き棚板１０５上に皿を立てるようにしたものであって、奥行き方向に皿１０７の外形寸法が必要となり、奥行きを小さくすることができなかった。
【０００６】
そこで本考案は、モジュールシステムによって収納棚の種々の組み合わせが可能であり、しかも皿の主面を前面側と平行に配置することによって奥行きを小さくすることができ、その結果居住空間の有効利用を図ることができる収納棚を提供することを目的とする。また、皿の洗浄や収納が容易な収納棚を提供することを目的とする。
【課題を解決するための手段】
【０００７】
上記課題を解決するために、本考案の収納棚においては、モジュールは、皿収納用の皿収納モジュールでなり、前記皿収納モジュールは、前面扉が支点を中心として回動可能であり、該前面扉の開放された上方から皿の主面を該前面扉と平行に挿入載置可能な構成としたことを特徴とする。
【０００８】
また、本考案の収納棚において、前記皿収納モジュールの奥行きは、前記皿収納モジュールの幅よりも小さく設定したことを特徴とする。
【０００９】
また、本考案の収納棚において、前記皿収納モジュールは、皿の主面を前記前面扉と平行に挿入載置可能な仕切り板を有することを特徴とする。
【００１０】
また、本考案の収納棚において、前記皿収納モジュールは、上方が開放され全体が箱状の皿収納ケースと、長手状の起立片が形成された仕切部材とを有することを特徴とする。
【００１１】
また、本考案の収納棚において、前記モジュールの少なくとも一部は、パーティクルボードで形成されていることを特徴とする。
【００１２】
また、本考案の収納棚は、２以上のモジュールでなり、前記モジュールとモジュールとの間を連結する連結手段を有することを特徴とする。
【００１３】
また、本考案の収納棚において、前記２以上のモジュールは、組み合わせ可能であり、該２以上のモジュールの奥行きと幅は、同一であることを特徴とする。
【考案の効果】
【００１４】
本考案によると、モジュールシステムによって収納棚の種々の組み合わせが可能であり、しかも皿の主面を前面側と平行に配置することによって奥行きを小さくすることができ、その結果居住空間の有効利用を図ることができる収納棚を提供することができる。また、皿の洗浄や収納が容易な収納棚を提供することもできる。
【考案を実施するための最良の形態】
【００１５】
以下、本考案にかかる実施形態について、図面を参照しつつ詳細に説明する。図１は、本考案の実施形態に係る収納棚の組み立てられた状態を示す斜視図、図２は、図１に示す収納棚の分解された状態を示す説明図、図３は、図１及び図２に示す皿収納モジュールの扉を閉じた状態を示す断面図、図４は、図３の皿収納モジュールの扉を開いた状態を示す断面図である。
【００１６】
本実施形態に係る収納棚１は、図１、図２に示すように、複数のモジュール２〜９よりなるモジュールシステムでなり、システム全体の高さＨが約１８０ｃｍで構成されている。これらのモジュール２〜９の少なくとも一部又は全部は、パーティクルボード（ｐａｒｔｉｃｌｅ  ｂｏａｒｄ）で形成されている。このパーティクルボードは、比較的重い素材でなるので、収納棚１が組み立てられた状態で安定した設置が可能である。また、モジュール２〜９の一部を交換することができ、不要となったモジュールは分別ごみとして処理する必要がないので、比較的簡単な処理で通常のごみとして処理することができる。また、モジュールシステムは、各モジュール２〜９の各々が分離可能なので、上下の入れ替えなどが容易であり種々の組み合わせが可能であり、所望の収納棚１を容易に組み合わせて組み立てることができる。なお、モジュール２〜９は、パーティクルボード（ｐａｒｔｉｃｌｅ  ｂｏａｒｄ）で形成されているが、他の素材を用いて構成してもよい。なお、本実施の形態では複数のモジュール２〜９で構成しているが、少なくとも２以上のモジュールであればよい。
【００１７】
図１及び図２に示すように、モジュール２は、前面が開放され全体が箱状に形成されている。そして、奥行きｄは、約１７ｃｍ、幅ｗは、約４６ｃｍで構成されている。したがって、奥行きｄが約１７ｃｍと小さいことから、設置スペースを小さくすることができ、モジュール２の前面側を有効利用することができる。本実施の形態でなるモジュール２の奥行きｄは、約１７ｃｍ、幅ｗは、約４６ｃｍとしたが、他の寸法で構成することは勿論可能であり、奥行きｄを小さくして省スペース化を測るために採用される寸法であればよい。なお、モジュール２の奥行きｄ、幅ｗは、他のモジュール３〜９も共通であるが、最下段の皿収納モジュール９の奥行きｄを、例えば、約２５ｃｍ、約３５ｃｍの寸法とすることによって、皿の収納を必要に応じた収納量とすることができ、しかもより安定した収納棚１とすることができる。また、モジュール２〜９の各モジュールの高さｈは、システム全体の高さＨが約１８０ｃｍとなるように構成すれば、適宜所望の高さｈを採用して構成することができる。また、モジュール３、４は、高さｈが異なるが、その他は同じ構成からなっている。そして、前面の扉３ａ，３ｂ，４ａ，４ｂがそれぞれ開閉式の扉で構成されている。また、モジュール５〜８は、高さｈが異なるがその他は同じ構成からなっている。そして、モジュール５は、図１に示すように、前面の収納ケース５ａを破線で示す位置まで引き出して収納することができる。モジュール６〜８もモジュール５と同じである。
【００１８】
皿収納モジュール９は、モジュール２〜８と相違する点は、皿収納用のモジュールであることである。図１、図３、図４に示すように、１つのつまみ９１ａが設けられた前面扉９１と、側板９２，９２と、側板９２，９２間に前面扉９１と平行に奥行き方向に所定の間隔で配設された複数、この場合４枚の仕切り板９３と、中央に長手状のスリット９４ａを有するガイド９４とから構成されている。
【００１９】
皿収納モジュール９は、前面扉９１のつまみ９１ａを矢印Ｘで示すように、手前に引くと、図４に示すように，支点Ｏを中心として回動してθの角度まで開くことができる。すなわち、ガイド９４のスリット９４ａに案内されて図３に示す停止位置まで回動することができる。そして、図４に示すように、開放された上方から皿１０の主面を仕切り板９３に沿って前面扉９１と平行に順次挿入載置することができる。本実施の形態による皿収納モジュール９は、皿１０を前面扉９１と平行に挿入載置することができるようにしたので、皿１０の大きさは、モジュールの幅ｗ約４６ｃｍの内のり寸法以内の大きさとすることができ、しかも奥行きｄを約１７ｃｍと小さくすることができる。仮に、皿１０を前面扉９１と垂直方向に挿入載置しようとする場合には、奥行きｄは、皿１０の大きさを確保することが必要であり、しかも開放寸法Ｙを図４に示す場合よりも更に大きくとらなければならなくなり、ガイド９４の強度を確保しなければならないばかりではなく、皿収納モジュール９の安定を損なうおそれもある。したがって、本考案の実施形態は、皿収納モジュール９の奥行きｄを小さくするというコンセプトを達成するための最良の形態となっている。
【００２０】
次に、本考案による収納棚１の複数のモジュール２〜９を連結する連結手段を図２を用いて説明する。図２に示すように、皿収納モジュール９の天面９ａには、突起部材１１が４箇所に設けられている。この突起部材１１は、天面９ａにあらかじめ設けられていてもよいし、また、棒状の部材で形成して天面９ａに設けられた嵌合孔に嵌合させるものでもよい。そして、上方に位置するモジュール８の底面８ａ側で突起部材１１に対向する位置に４箇所設けられた嵌合孔に突起部材１１を嵌合させることによって連結させる。他のモジュール２〜８も同様の連結手段によって連結する。前述したように、パーティクルボードは、比較的重い素材でなるので、このような連結手段によって確実に各モジュールが連結されるが、他の公知の連結手段を用いてもよい。
【００２１】
次に、図５を参照して本考案による収納棚の他の実施の形態について説明する。図５に示すように、皿収納モジュール９の構成が図３及び図４に示す皿収納モジュール９に示す構成と異なる点以外は、他のモジュールと同一なので、相違する点についてのみ説明する。
【００２２】
図５に示すように、皿収納モジュール９は、上方が開放され全体が箱状の皿収納ケース２０と、複数、この場合５条の長手状の起立片２１ａが形成された仕切部材２１とを有する。図５から明らかなように、仕切部材２１は、皿収納ケース２０と別個独立して分離可能に構成されているが、皿収納ケース２０の内側底部に一体に形成するようにしてもよい。この皿収納ケース２０は、皿収納モジュール９の前面扉９１が回動して開いた状態で上方に取り出したり、収納したりすることができる。したがって、仕切部材２１上に皿１０を挿入載置した状態で取り出すこともできるし、また、台所などで皿１０を洗ってから皿収納ケース２０内に皿を載置して、そのまま皿収納モジュール９に皿収納ケース２０を収納することができるので、メンテナンスが容易であり、しかも皿収納モジュール９の清浄化を図ることができる。
【００２３】
本考案について上記実施形態を参照しつつ説明したが、本考案は上記実施形態に限定されるものではなく、改良の目的または本考案の思想の範囲内において改良または変更が可能である。
【図面の簡単な説明】
【００２４】
【図１】本考案の実施形態に係る収納棚の組み立てられた状態を示す斜視図である。
【図２】図１に示す収納棚の分解された状態を示す説明図である。
【図３】図１及び図２に示す皿収納モジュールの扉を閉じた状態を示す断面図である。
【図４】図３の皿収納モジュールの扉を開いた状態を示す断面図である。
【図５】本考案の実施形態に係る収納棚の他の実施形態を示す説明図である。
【図６】従来の食器棚としての使用形態を示す図である。
【図７】従来のグラス棚としての使用形態を示す図である。
【符号の説明】
【００２５】
１      収納棚
２      モジュール
３      モジュール
４      モジュール
５      モジュール
６      モジュール
７      モジュール
８      モジュール
８ａ    底面
９      皿収納モジュール(モジュール)
９ａ    天面
９１    前面扉
９１ａ  つまみ
９２    側板
９３    仕切り板
９４    ガイド
９４ａ  スリット
１０    皿
１１    突起部材
２０    皿収納ケース
２１    仕切部材
【図１】
0003134564.tif 000003
【図２】
0003134564.tif 000004
【図３】
0003134564.tif 000005
【図４】
0003134564.tif 000006
【図５】
0003134564.tif 000007
【図６】
0003134564.tif 000008
【図７】
0003134564.tif 000009